(57)【特許請求の範囲】
【請求項１】
放送を受信して放送コンテンツの映像信号を生成する放送受信部と、
メニュー表示を行うためのメニュー信号を生成して、該メニュー信号および／または前記映像信号に基づいて、映像表示信号を生成する映像処理部と、
前記放送受信部と前記映像処理部の動作を制御する制御部とを有し、
前記制御部は、アナログ放送に対応させて前記放送受信部と前記映像処理部の制御を行うように動作の設定がなされるアナログ放送モード、あるいはディジタル放送に対応させて前記放送受信部と前記映像処理部の制御を行うように動作の設定がなされるディジタル放送モードを選択して、該選択したモードに応じたメニュー信号を前記映像処理部で生成させ、
放送がアナログ放送かディジタル放送であるかを示す情報を受信地域毎に示す放送形態情報を記憶した記憶部と、
ユーザ操作に応じた操作信号を生成するユーザインタフェース部を設け、
前記制御部は、前記操作信号に基づき前記ユーザ操作によって選択された受信地域を判別して、前記放送形態情報に基づき前記判別した受信地域でディジタル放送が行われていないときには前記アナログ放送モードを選択し、ディジタル放送が行われているときには前記ディジタル放送モードを選択し、
前記放送形態情報には、ディジタル放送の開始時期および／またはアナログ放送の終了時期を示す情報を含めるものとし、
前記制御部は、ディジタル放送の開始時期あるいはアナログ放送の終了時期を経過したとき、前記モードを前記ディジタル放送モードに設定する、放送受信装置。
【請求項２】
前記制御部は、前記放送受信部を制御してディジタル放送の受信動作を行い、該ディジタル放送を受信できたとき、前記モードを前記ディジタル放送モードに設定する
ことを特徴とする請求項１記載の放送受信装置。
【請求項３】
前記制御部は、前記放送受信部を制御してディジタル放送の受信動作を行い、該ディジタル放送を受信して得られた情報に、ディジタル放送の開始を示す情報が含まれているとき、前記モードを前記ディジタル放送モードに設定する
ことを特徴とする請求項１記載の放送受信装置。
【請求項４】
前記制御部は、アナログ放送とディジタル放送の両方に対応させて前記放送受信部と前記映像処理部の制御を行うように動作の設定がなされるサイマル放送モードの選択を可能とした
ことを特徴とする請求項１記載の放送受信装置。
【請求項５】
放送受信装置のメニュー表示方法であって、
アナログ放送に対応させて動作の設定がなされるアナログ放送モード、あるいはディジタル放送に対応させて動作の設定の設定がなされるディジタル放送モードの選択を行う工程と、
前記選択されたモードに応じたメニュー表示設定を行う工程と、
前記メニュー表示設定に応じてメニュー画面を表示させる工程とを有し、
ユーザ操作によって選択された受信地域を判別して、前記判別した受信地域でディジタル放送が行われていないときには前記アナログ放送モードを選択し、ディジタル放送が行われているときには前記ディジタル放送モードを選択し、
ディジタル放送の開始時期あるいはアナログ放送の終了時期を経過したとき、前記モードを前記ディジタル放送モードに設定する、メニュー表示方法。
【発明の詳細な説明】
【技術分野】
【０００１】
この発明は、放送受信装置とメニュー表示方法に関する。詳しくは、動作モードとして、アナログ放送を受信するように動作の設定がなされるアナログ放送モードが選択されたときにはアナログ放送用のメニュー表示を行い、ディジタル放送を受信するように動作の設定がなされるディジタル放送モードが選択されたときにはディジタル放送用のメニュー表示を行い、受信しない放送に関するメニュー項目を表示しないようにすることで、操作性を向上させるものである。
【背景技術】
【０００２】
近年、テレビ放送では、高画質な映像や高音質の音声および種々の情報の提供等を行うためディジタル化が進展している。このようなテレビ放送のディジタル化に伴い、テレビ放送を受信する放送受信装置では、アナログ放送を受信する機能だけでなく、ディジタル放送を受信する機能が設けられている。
【０００３】
例えば、特許文献１の発明では、アナログ放送とディジタル放送を受信する機能が設けられた放送受信装置において、アナログ放送とディジタル放送で同一番組が放送されているときには、ディジタル放送の視聴が可能なことを通知し、アナログ放送の終了時には、ディジタル放送の放送チャネルに移行するようにメッセージ表示を行う、あるいは自動的に移行を行うことが開示されている。
【０００４】
【特許文献１】特開２００４−３２０４４９号公報
【発明の開示】
【発明が解決しようとする課題】
【０００５】
ところで、アナログ放送とディジタル放送を受信する機能が設けられている放送受信装置を、ディジタル放送が行われていない地域で用いる場合、放送受信装置が有しているアナログ放送とディジタル放送の受信機能に関したメニュー表示を行うと、受信できない放送に関する表示が行われることとなり、放送受信装置の操作が複雑で判りにくくなってしまう。同様に、アナログ放送が終了されている地域で用いる場合にも、受信できないアナログ放送に関する表示が行われることとなり、放送受信装置の操作が複雑で判りにくくなってしまう。
【０００６】
そこで、この発明では、アナログ放送とディジタル放送を受信する機能が設けられていても容易に操作できる放送受信装置とメニュー表示方法を提供するものである。
【課題を解決するための手段】
【０００７】
この発明では、放送を受信して放送コンテンツの映像信号を生成する放送受信部と、メニュー表示を行うためのメニュー信号を生成して、該メニュー信号および／または映像信号に基づいて、映像表示信号を生成する映像処理部と、放送受信部と映像処理部の動作を制御する制御部とを有する放送受信装置において、例えばディジタル放送が行われていない受信地域での使用と判別したときは、アナログ放送に対応させて放送受信部と映像処理部の制御を行うように動作の設定がなされるアナログ放送モードを選択して、このアナログ放送モードに対応したメニュー信号を生成してメニュー画面の表示を行う。また、ディジタル放送が行われている受信地域での使用と判別したときは、ディジタル放送に対応させて放送受信部と映像処理部の制御を行うように動作の設定がなされるディジタル放送モードを選択して、このディジタル放送モードに対応したメニュー信号を生成してメニュー画面の表示を行う。
【発明の効果】
【０００８】
この発明によれば、アナログ放送に対応させて動作の設定がなされるアナログ放送モードが選択されたときには、このアナログ放送モードに対応したメニュー信号を生成してメニュー画面が表示される。また、ディジタル放送に対応させて動作の設定がなされるディジタル放送モードが選択されたときには、このディジタル放送モードに対応したメニュー信号を生成してメニュー画面が表示される。このため、受信しない放送に関するメニュー項目が除かれたメニュー画面を表示できるので、アナログ放送とディジタル放送を受信する機能が設けられていても操作を容易に行うことが可能となり、操作性を向上できる。
【発明を実施するための最良の形態】
【０００９】
以下、図を参照しながら、この発明の実施の一形態について説明する。図１は放送受信装置の機能ブロック図である。なお、図１では、放送コンテンツの映像表示に用いられる機能ブロックのみを示しており、音声出力に関する機能ブロックは省略している。また、以下の説明でも音声出力に関する部分は省略する。
【００１０】
放送受信装置１０において、アンテナ１１で得られた受信信号ＲＦは、放送受信部１２に供給される。放送受信部１２は、後述する制御部２０からの選局信号ＣＴtuに基づいて選局動作等を行い、アナログ放送受信時には、選局したチャネルの映像信号Ｖaをセレクタ１３に供給する。また、ディジタル放送受信時には、選局したチャネルの映像信号Ｖdを映像処理部１５に供給するものである。
【００１１】
放送受信部１２のチューナ１２１は、後述する制御部２０からの選局信号ＣＴtuによってアナログ放送のチャネルが指示されたとき、この指示されたチャネルの信号を受信信号ＲＦから選局する処理を行い、得られた中間周波信号ＩＦを検波部１２２に供給する。また、チューナ１２１は、選局信号ＣＴtuによってディジタル放送のチャネル（物理チャネル）が指示されたとき、この指示されたチャネルの信号を受信信号ＲＦから選局する処理を行い、得られたベースバンドＩＱ信号Ｓdを復調部１２３に供給する。
【００１２】
検波部１２２は、中間周波信号ＩＦの検波を行うことで映像信号Ｖaを生成してセレクタ１３に供給する。復調部１２３はベースバンドＩＱ信号Ｓdに対してテレビ放送方式に応じたディジタル復調処理や誤り訂正、デインタリーブ処理、デスクランブル処理等を行い、トランスポートストリームＴＳを生成してデコーダ１２４に供給する。デコーダ１２４は、トランスポートストリームＴＳのフィルタリングを行い、種々の制御情報のパケットや選局する番組のパケットを抽出する。さらに、抽出した映像データのデコード処理を行い、映像信号Ｖdを生成して映像処理部１５に供給する。
【００１３】
セレクタ１３には、外部機器から映像信号Ｖeを放送受信装置１０に入力するための外部入力端子１４が接続されている。セレクタ１３は、制御部２０から供給された選択信号ＣＴcに基づいて、放送受信部１２から供給された映像信号Ｖaあるいは外部入力端子１４から供給された映像信号Ｖeの選択を行い、選択した映像信号Ｖsを映像処理部１５に供給する。
【００１４】
映像処理部１５は、制御部２０から供給された制御信号ＣＴgに基づき、セレクタ１３から供給された映像信号Ｖsあるいはデコーダ１２４から供給された映像信号Ｖdに対して、画質，コントラスト，輝度，色の濃さ，色あい等の調整を行う。また、映像処理部１５は、後述する表示部１６で対応可能な映像フォーマットに応じて、インタレース方式の映像信号をプログレッシブ方式の映像信号に変換するＩＰ変換や、画素数等を調整するスケーリング処理を行う。さらに、映像処理部１５は、メニュー表示を行うためのメニュー信号を生成して、メニュー信号および／または映像信号に基づいて、映像表示信号Ｖgを生成して表示部１６に供給する。例えば、映像信号に替えてメニュー信号を用いて映像表示信号Ｖgを生成することで、放送コンテンツの画面からメニュー画面に切り替える。あるいは映像信号とメニュー信号を所謂アルファブレンド処理して映像表示信号Ｖgを生成することで、放送コンテンツの画面上にメニュー画面を半透過的に表示させる。さらに、映像処理部１５は、電子番組表等の情報を表示するための情報表示信号を生成して、この情報表示信号に基づいた映像表示信号Ｖgの生成も行う。なお、メニュー信号や情報表示信号は、制御部２０からの制御信号ＣＴgに基づく指示よって映像処理部１５で生成する。
【００１５】
表示部１６は、液晶表示素子やプラズマディスプレイあるいは陰極線管等の表示素子を用いて構成されており、映像処理部１５から供給された映像表示信号Ｖgに基づいて表示素子を駆動して、放送コンテンツの映像や各種のメニュー画面および電子番組表等を表示させる。
【００１６】
制御部２０には、ユーザインタフェース部２１が接続されている。ユーザインタフェース部２１は、リモートコントロール装置３０から送信された信号を受信するリモートコントロール信号受信部や操作ボタンで構成されている。このユーザインタフェース部２１は、操作ボタンがユーザによって操作されたとき、操作されたボタンに応じた操作信号ＰＳを制御部２０に供給する。また、リモートコントロール装置３０から送信されたリモートコントロール信号を受信したとき、この受信したリモートコントロール信号を操作信号ＰＳとして制御部２０に供給する。
【００１７】
また、制御部２０には、不揮発性メモリ等で構成された記憶部２２が接続されている。記憶部２２は、放送受信装置を動作させるためのプログラムを記憶する。また記憶部２２は、ユーザ操作に基づいた設定状態や放送受信装置の製造工程で行われた種々の調整状態等を示す情報を設定情報として記憶する。また、記憶部２２には、ディジタル放送を受信して得られた情報、例えば所望のチャネルの番組を選局するための選局情報や電子番組表を表示可能とするための番組情報等も記憶する。
【００１８】
制御部２０は、記憶部２２に記憶されているプログラムを実行して、記憶部２２に記憶されている種々の情報やユーザインタフェース部２１からの操作信号ＰＳに基づき、選局信号ＣＴtuや選択信号ＣＴcおよび制御信号ＣＴg等の生成を行うことで、放送受信装置の動作がユーザ操作に応じた動作となるように制御する。なお、制御部２０には、記憶部２２に記憶されているプログラムや情報を書き換える機能を有した治具４０が接続可能とされている。
【００１９】
図２は、離れた位置から放送受信装置１０の動作の切り替え等を行うためのリモートコントロール装置３０の外観を例示している。リモートコントロール装置３０には、種々の機能等が割り割り当てられたボタンが設けられている。例えば電源のオン／オフを行うための機能が割り当てられた電源ボタン３１１、チャネルが割り当てられた数字ボタン群３１２、入力切替ボタン３１３、チャネルアップ／ダウン機能が割り当てられたチャネルボタン３１４、音量のアップ／ダウン機能が割り当てられた音量ボタン３１５が設けられている。また、メニュー表示を行わせるためのＭＥＮＵボタン３１６、メニュー表示がなされたとき項目の選択や切り替え等を行うために用いる上下左右ボタン３１７とＯＫボタン３１８が設けられている。
【００２０】
このように構成された放送受信装置では、アナログ放送とディジタル放送の放送状況に応じてメニュー表示の設定を行い、不必要なメニュー項目を非表示とすることで操作性を向上させる。
【００２１】
図３は、メニュー表示の設定動作を示すフローチャートである。ステップＳＴ１で制御部２０は、放送受信装置の初期設定が完了しているか否かを判別する。ここで、ユーザが放送受信装置を最初に使用する場合、ユーザによる設定が行われていないことから、ステップＳＴ２に進み初期設定を行う。また、初期設定の完了後に放送受信装置を動作させたときには、初期設定が完了していることからステップＳＴ４に進む。
【００２２】
ステップＳＴ２で制御部２０は初期設定を行う。制御部２０は、映像処理部１５を制御して初期設定メニュー画面を表示部１６に表示させる。また、制御部２０は操作信号に基づいてメニュー画面の切り替え等を行う。さらに、操作信号に基づき、各メニュー項目についての設定が完了したときには、この設定状態を示す情報をユーザ設定情報として記憶部２２に記憶させる。
【００２３】
制御部２０は、初期設定メニュー画面として例えば最初に言語選択メニュー画面を表示させる。図４は言語選択メニュー画面を例示したものである。言語選択メニュー画面では、表示領域ＡＲ1にメニューのタイトル、表示領域ＡＲ2に選択可能な言語、表示領域ＡＲ3に操作方法がそれぞれ示されている。制御部２０は、リモートコントロール装置３０の上下左右ボタン３１７が操作されたとき、操作に応じて言語の指定を行い、指定された言語表示を他の言語表示と異なる表示とする。例えば異なる色表示や反転表示あるいはカーソル表示を設けるものとする。さらに、制御部２０は、ＯＫボタン３１８が操作されたときに指定されていた言語表示を選択された言語として、この選択された言語を示す情報を記憶部２２に記憶させる。
【００２４】
次に、制御部２０は国選択メニュー画面を表示させる。図５は国選択メニュー画面を例示したものである。国選択メニュー画面では、表示領域ＡＲ4にメニューのタイトル、表示領域ＡＲ5に選択可能な国名、表示領域ＡＲ6に操作方法がそれぞれ示されている。制御部２０は、リモートコントロール装置３０の上下左右ボタン３１７が操作されたとき、操作に応じて国名表示の指定を行い、指定された国名表示を他の国名表示と異なる表示とする。例えば異なる色表示や反転表示あるいはカーソル表示を設けるものとする。さらに、制御部２０は、ＯＫボタン３１８が操作されたときに指定されていた国名表示を選択された国として、この選択された国を示す情報を記憶部２２に記憶させる。
【００２５】
国選択が完了したとき、制御部２０は受信できるチャネルを自動設定するか否かのメニュー画面（図示せず）を表示して、自動設定が選択されたときには受信できるチャネルを自動検出して、検出結果を記憶部２２に記憶させて初期設定を終了する。また、自動設定が選択されなかったときは初期設定を終了する。
【００２６】
図３のステップＳＴ３で制御部２０は、アナログ放送に対応させて放送受信部１２と映像処理部１５の制御を行うように動作の設定を行ったアナログ放送モード、あるいはディジタル放送に対応させて放送受信部１２と映像処理部１５の制御を行うように動作の設定を行ったディジタル放送モードの選択を行い、選択結果を記憶部２２に記憶させる。
【００２７】
ここで、記憶部２２には、放送がアナログ放送かディジタル放送であるかを示す情報を受信地域毎に示す放送形態情報を予め記憶させておく。例えば、図６に示すように、国毎に放送がアナログ放送かディジタル放送であるかを示した放送形態情報を予め記憶させておく。制御部２０は、この記憶されている放送形態情報に基づき、選択された国でディジタル放送が行われていないと判別したときはアナログ放送モードを選択する。また、選択された国でディジタル放送が行われていると判別したときはディジタル放送モードを選択する。例えば、国名「Netherlands」が選択されたときにはディジタル放送が行われていないことからアナログ放送を受信して放送コンテンツの映像表示を行うことができるように、アナログ放送モードを選択する。また、国名「United Kingdom」が選択されたときには、ディジタル放送を受信して放送コンテンツの映像表示を行うことができるようにディジタル放送モードを選択する。なお、受信地域は、国単位で設定する場合に限られるものではなく、国内でディジタル放送の開始が地域毎に異なる場合には、地域毎の放送形態を示した放送形態情報を用いて、選択された地域の放送形態に応じてモード選択を行うものとしてもよい。また、モードの選択はユーザが手動で設定するようにしてもよい。例えば、モード選択を行うためのメニュー画面を表示して、リモートコントロール装置３０等の操作等によってモード選択を行う。
【００２８】
ステップＳＴ４で制御部２０は、記憶部２２に記憶されている情報を読み出してステップＳＴ５に進む。ステップＳＴ５で制御部２０は、読み出した情報に基づきアナログ放送モードが選択されているか否かを判別して、アナログ放送モードが選択されているときにはステップＳＴ６に進み、アナログ放送モードが選択されていないとき、すなわち、ディジタル放送モードが選択されているときはステップＳＴ７に進む。
【００２９】
ステップＳＴ６で制御部２０は、アナログ放送モードに応じたメニュー表示を行うようにアナログ放送用のメニュー表示設定を行いステップＳＴ８に進む。ステップＳＴ７で制御部２０は、ディジタル放送モードに応じたメニュー表示を行うようにディジタル放送用のメニュー表示設定を行いステップＳＴ８に進む。
【００３０】
ステップＳＴ８では制御部２０は、放送受信動作を行いユーザによって指定された放送コンテンツの映像を表示部１６に表示させる。この放送受信動作において、アナログ放送モードが選択されている場合、制御部２０はアナログ放送に対応させて放送受信部１２と映像処理部１５の制御を行うように動作設定を行い、例えばリモートコントロール装置３０のチャネルボタン３１４が操作されたときには、アナログ放送の番組を順次選局する。また、ディジタル放送モードが選択されている場合、制御部２０はディジタル放送に対応させて放送受信部１２と映像処理部１５の制御を行うように動作設定を行い、例えばリモートコントロール装置３０のチャネルボタン３１４が操作されたときには、ディジタル放送の番組を順次選局する。
【００３１】
この放送受信動作において、制御部２０は、メニュー表示操作例えばリモートコントロール装置３０のＭＥＮＵボタン３１６が操作されたとき、メニュー表示設定に応じたメニュー画面を表示させる。
【００３２】
図７は、メニュー表示操作が行われたときに最初に表示するトップメニュー画面を示している。ここで、制御部２０は、アナログ放送モードが選択されているとき、図７Ａに示すトップメニュー画面を表示部１６に表示させる。また、ディジタル放送モードに設定されているとき、図７Ｂに示すトップメニュー画面を表示部１６に表示させる。
【００３３】
図７Ａのトップメニュー画面では、表示領域ＡＲ7にメニューのタイトル、表示領域ＡＲ8にメニュー項目、表示領域ＡＲ9に操作方法がそれぞれ示されている。また、メニュー項目には、アナログ放送の受信に関する項目のみを表示する。例えば「Programme List」は、アナログ放送のチャネルリストを表示させるためのメニュー項目である。「External Inputs」は、セレクタ１３で外部入力端子１４から入力された映像信号を選択するためのメニュー項目である。「Settings」は、種々の設定を行うためのセッティングメニュー画面を表示させるためのメニュー項目である。
【００３４】
図７Ｂのトップメニュー画面では、表示領域ＡＲ10にメニューのタイトル、表示領域ＡＲ11にメニュー項目、表示領域ＡＲ12に操作方法がそれぞれ示されている。また、メニュー項目には、アナログ放送とディジタル放送の受信に関する項目を表示する。例えば「Digital Favourites」は、ディジタル放送のお気に入りのチャネルリストを表示させるためのメニュー項目である。「Digital」は、ディジタル放送の選局を行うためのメニュー項目である。「Digital EPG」は、ディジタル放送の電子番組表を表示させるためのメニュー項目である。「External Inputs」は、セレクタ１３で外部入力端子１４から入力された映像信号を選択するためのメニュー項目である。「Settings」は、種々の設定を行うためのセッティングメニュー画面を表示させるためのメニュー項目である。
【００３５】
このように、制御部２０は、アナログ放送モードが選択されているときには、アナログ放送に対応したトップメニュー画面を表示させる。また、ディジタル放送モードが選択されているときには、ディジタル放送に対応したトップメニュー画面を表示させる。
【００３６】
また、モードに応じて切り替えられるメニュー画面は、トップメニュー画面に限られるものではなく、トップメニュー画面で選択されたメニュー項目についても、モードに応じた切り替えを行う。図８は、トップメニュー画面のメニュー項目「Settings」が選択されたときのセッティングメニュー画面を示している。
【００３７】
ここで、制御部２０は、アナログ放送モードが選択されているとき、図８Ａに示すセッティングメニュー画面を表示部１６に表示させる。また、ディジタル放送モードが選択されているとき、図８Ｂに示すセッティングメニュー画面を表示部１６に表示させる。
【００３８】
図８Ａのセッティングメニュー画面では、表示領域ＡＲ13にメニューのタイトル、表示領域ＡＲ14にメニュー項目、表示領域ＡＲ15に選択されたメニュー項目の各種設定内容、表示領域ＡＲ16に操作方法がそれぞれ示されている。また、メニュー項目として、放送の受信以外に関する項目やアナログ放送の受信に関する項目を表示する。例えばメニュー項目Ｍ1〜Ｍ5は放送の受信以外に関する項目であり、メニュー項目Ｍ1は画質モードを設定するための項目、メニュー項目Ｍ2は音質モードを設定するための項目、メニュー項目Ｍ3はワイド画面等の画面モードを設定するための項目、メニュー項目Ｍ4は種々の設定を行うためのセットアップモードを選択するための項目、メニュー項目Ｍ5は外部入力としてパーソナルコンピュータを接続するためＰＣ入力モードを選択するための項目である。メニュー項目Ｍ6はアナログ放送のチャネル設定等を行うためのアナログ放送設定画面を選択するための項目である。
【００３９】
図８Ｂのセッティングメニュー画面では、表示領域ＡＲ17にメニューのタイトル、表示領域ＡＲ18にメニュー項目、表示領域ＡＲ19に選択されたメニュー項目の各種設定内容、表示領域ＡＲ20に操作方法がそれぞれ示されている。また、メニュー項目として、放送の受信以外に関する項目やディジタル放送の受信に関する項目を表示する。例えばメニュー項目Ｍ1〜Ｍ5は上述のように放送の受信以外に関する項目である。メニュー項目Ｍ7はディジタル放送のチャネル設定等を行うためのディジタル放送用設定画面を選択するための項目である。
【００４０】
なお、図８Ａ，図８Ｂでは画質モードを設定するためのメニュー項目Ｍ1が選択されている状態を示しており、表示領域ＡＲ15，ＡＲ19には、バックライト（液晶表示素子を用いた場合）や画像のコントラスト、明るさ、色等が設定内容として表示されている。
【００４１】
このように、放送受信装置が用いられる地域での放送形態に応じてアナログ放送モードあるいはディジタル放送モードを選択して、選択したモードに応じてメニュー画面を表示すれば、受信できない放送に関するメニュー項目が表示されることがないので、種々の設定を容易に行うことができる。
【００４２】
また、モードは、放送受信装置の使用が開始されたのち変更できるようにしてもよい。例えば、メニュー項目Ｍ4のセットアップモードが選択されたとき、このセットアップモードでアナログ放送モードとディジタル放送モードの切り替えを可能とする。
【００４３】
図９は、セットアップモードが選択されている場合のセッティングメニュー画面を示している。表示領域ＡＲ21に表示される設定内容には、「Auto Start-up」の項目を設ける。「Auto Start-up」は、上述の初期設定と同等な処理を行うためのものであり、「Auto Start-up」が指定されている状態でＯＫボタン３１８が操作された場合、言語選択メニュー画面を表示して新たな言語を選択可能とする。さらに国選択メニュー画面を表示させて、新たな国名を選択可能とする。このようにすれば、放送受信装置の使用される地域が変更されても、変更後の地域の放送形態に応じてアナログ放送用あるいはディジタル放送用のメニュー画面を表示させることができる。
【００４４】
ところで、上述の実施の形態では、放送形態情報を予め記憶部２２に記憶させておき、この情報を用いてアナログ放送モードあるいはディジタル放送モードの選択を行うものとしているため、記憶されている放送形態情報が更新されないと、ディジタル放送が開始されても、ディジタル放送用のメニュー画面を表示することができない。
【００４５】
このため、メニュー画面で選択可能な受信地域においてディジタル放送が開始されたとき、例えば制御部２０に治具４０を接続して、記憶部２２に記憶されている放送形態情報を更新して、ディジタル放送用のメニュー画面を表示可能とする。また、ユーザ操作によって放送形態情報を更新できるようにしてもよい。
【００４６】
さらに、ディジタル放送が開始されたときには、自動的にディジタル放送モードを選択させて、ディジタル放送用のメニュー画面を表示させることもできる。モードの切り替えを自動的に行う方法としては、放送形態情報にディジタル放送の開始時期および／またはアナログ放送の終了時期を示す情報を含めるものとして、この情報に基づいてモード切替を行う方法を用いることができる。また、ディジタル放送の受信が可能であるか否かを判別してディジタル放送の受信が可能となったときにモード切替を行う方法や、ディジタル放送の開始を示す開始情報を例えばソフトウェアのアップデートデータ等とともに例えば放送信号を用いて送信し、この放送信号を受信して得られた開始情報に基づいてモード切替を行う方法等を用いることができる。
【００４７】
放送形態情報にディジタル放送の開始時期および／またはアナログ放送の終了時期を示す情報を含める場合、制御部２０は動作開始時にディジタル放送の開始時期および／またはアナログ放送の終了時期を経過したか否かを判別して、経過したときにディジタル放送モードに固定する。このようにすれば、ディジタル放送が行われたとき治具４０やユーザ操作を行わなくとも、アナログ放送モードからディジタル放送モードに自動的に切り替えることができるので、ディジタル放送用のメニュー画面を表示させることができる。
【００４８】
また、ディジタル放送の受信が可能であるか否かを判別する場合、制御部２０はディジタル放送を受信するように放送受信部１２を制御して、チューナ１２１からのベースバンドＩＱ信号Ｓdの出力や復調部１２３からのトランスポートストリームＴＳの出力の有無によって、ディジタル放送が受信可能であったか否かを定期的に判別する。ここで、ベースバンドＩＱ信号ＳdやトランスポートストリームＴＳの出力が行われてディジタル放送の受信が可能と判別されたときは、ディジタル放送モードに固定する。このようにすれば、記憶部２２に放送形態情報を記憶させるときに、ディジタル放送の開始時期やアナログ放送の終了時期が明らかでなくとも、ディジタル放送信号の送出開始に合わせてアナログ放送モードからディジタル放送モードに自動的に切り替えて、ディジタル放送用のメニュー画面を表示させることができる。
【００４９】
ディジタル放送の開始を示す開始情報を放送信号等で送信する場合、制御部２０は受信した開始情報に基づいてディジタル放送モードへの切り替えを行う。このようにすれば、記憶部２２に放送形態情報を記憶させるときに、ディジタル放送の開始時期やアナログ放送の終了時期が明らかでなくとも、ディジタル放送モードへの切り替えを行うことができる。また、ディジタル放送の開始前に試験用のディジタル放送信号を送出しても、この試験用のディジタル放送信号によってディジタル放送モードへの切り替えが行われてしまうことを防止できる。
【００５０】
ところで、ディジタル放送を行う場合、アナログ放送からディジタル放送への移行期間が設けられており、この移行期間中は、アナログ放送とディジタル放送によるサイマル放送が行われる場合がある。このような場合、アナログ放送とディジタル放送のいずれを受信しても放送コンテンツの映像表示を行うことができる。このため、放送受信装置１０では、アナログ放送とディジタル放送の両方に対応させて放送受信部１２と映像処理部１５の制御を行うように動作の設定を行ったサイマル放送モードを選択可能とする。このように、サイマル放送モードを設けるものとすれば、アナログ放送とディジタル放送の双方の受信に適したメニュー画面を表示できる。
【００５１】
図１０は、サイマル放送モードを設けた場合のメニュー表示の設定動作を示すフローチャートである。ステップＳＴ１１で制御部２０は、放送受信装置の初期設定が完了しているか否かを判別する。ここで、初期設定が完了していないときはステップＳＴ１２に進み初期設定を行う。また、初期設定が完了しているときはステップＳＴ１４に進む。
【００５２】
ステップＳＴ１２で制御部２０はステップＳＴ２と同様にして初期設定を行う。ステップＳＴ１３で制御部２０は、アナログ放送モード、ディジタル放送モード、あるいはアナログ放送とディジタル放送の両方に対応させて放送受信部１２と映像処理部１５の制御を行うように動作の設定を行ったサイマル放送モードの選択を行い、選択結果を記憶部２２に記憶させる。なお、サイマル放送モードは移行期間中にのみ選択可能とする。また、移行期間中は、アナログ放送モードとディジタル放送モードとサイマル放送モードの選択をユーザ操作に応じて行うものとしてもよい。さらに、移行期間中はサイマル放送モードを自動的に選択するものとしてもよい。
【００５３】
移行期間中であるか否かの判別は、例えば放送形態情報にディジタル放送の開始時期およびアナログ放送の終了時期を示す情報が含まれているとき、この放送形態情報を利用して自動的に行うことができる。あるいは、アナログ放送の終了とディジタル放送の開始をそれぞれ判別してもよい。この場合、ディジタル放送の開始は、上述のようにベースバンドＩＱ信号ＳdやトランスポートストリームＴＳの出力が行われているか否かによって判別できる。また、アナログ放送の終了は中間周波信号ＩＦや映像信号Ｖaの出力が行われているか否かによって判別できる。さらに、ディジタル放送の開始を示す開始情報を放送信号等で送信する場合、アナログ放送の終了を示す終了情報も放送信号等で送信することで、移行期間中であるか否かの判別を自動的に行うことができる。
【００５４】
ステップＳＴ１４で制御部２０は、記憶部２２に記憶されている情報を読み出してステップＳＴ１５に進む。ステップＳＴ１５で制御部２０は、読み出した情報に基づきアナログ放送モードが選択されているか否かを判別して、アナログ放送モードが選択されているときにはステップＳＴ１６に進み、アナログ放送モードが選択されていないときにはステップＳＴ１７に進む。
【００５５】
ステップＳＴ１６で制御部２０は、アナログ放送モードに応じたメニュー表示を行うようにアナログ放送用のメニュー表示設定を行いステップＳＴ２０に進む。
【００５６】
ステップＳＴ１７で制御部２０は、読み出した情報に基づきディジタル放送モードが選択されているか否かを判別して、ディジタル放送モードが選択されているときにはステップＳＴ１８に進み、ディジタル放送モードが選択されていないとき、すなわちサイマル放送モードが選択されたときはステップＳＴ１９に進む。
【００５７】
ステップＳＴ１８で制御部２０は、ディジタル放送モードに応じたメニュー表示を行うようにディジタル放送用のメニュー表示設定を行いステップＳＴ２０に進む。また、ステップＳＴ１９で制御部２０は、サイマル放送モードに応じたメニュー表示を行うようにサイマル放送用のメニュー表示設定を行いステップＳＴ２０に進む。
【００５８】
ステップＳＴ２０では制御部２０は、放送受信動作を行いユーザによって指定された放送コンテンツの映像を表示部１６に表示させる。この放送受信動作において、サイマル放送モードが選択されている場合、制御部２０はアナログ放送とディジタル放送に対応させて放送受信部１２と映像処理部１５の制御を行うように動作設定を行い、例えばリモートコントロール装置３０のチャネルボタン３１４が操作されたときには、アナログ放送とディジタル放送の番組を順次選局可能とする。
【００５９】
この放送受信動作において、制御部２０は、メニュー表示操作例えばリモートコントロール装置３０のＭＥＮＵボタン３１６が操作されたとき、メニュー表示設定に応じたメニュー画面を表示させる。
【００６０】
図１１は、サイマル放送モードが選択された場合のトップメニュー画面を示している。トップメニュー画面では、表示領域ＡＲ22にメニューのタイトル、表示領域ＡＲ23にメニュー項目、表示領域ＡＲ24に操作方法がそれぞれ示されている。また、メニュー項目には、アナログ放送とディジタル放送の受信に関する項目を表示する。例えば「Digital Favorites」は、ディジタル放送のお気に入りのチャネルリストを表示させるためのメニュー項目である。「Analogue」は、アナログ放送の選局を行うためのメニュー項目であり、「Digital」は、ディジタル放送の選局を行うためのメニュー項目である。「Digital EPG」は、ディジタル放送の電子番組表を表示させるためのメニュー項目である。「External Inputs」は、セレクタ１３で外部入力端子１４から入力された映像信号を選択するためのメニュー項目である。「Settings」は、種々の設定を行うためのセッティングメニュー画面を表示させるためのメニュー項目である。
【００６１】
図１２は、サイマル放送モードが選択された場合のセッティングメニュー画面を示している。セッティングメニュー画面では、表示領域ＡＲ25にメニューのタイトル、表示領域ＡＲ26にメニュー項目、表示領域27に選択されたメニュー項目の各種設定内容、表示領域ＡＲ28に操作方法がそれぞれ示されている。また、メニュー項目として、放送の受信以外に関する項目やアナログ放送とディジタル放送の受信に関する項目を表示する。例えばメニュー項目Ｍ1〜Ｍ5は上述のように放送の受信以外に関する項目である。メニュー項目Ｍ6はアナログ放送のチャネル設定等を行うためのアナログ放送用設定画面を選択するための項目であり、メニュー項目Ｍ7はディジタル放送のチャネル設定等を行うためのディジタル放送用設定画面を選択するための項目である。
【００６２】
このように、サイマル放送モードを設けるものとすれば、アナログ放送とディジタル放送の両方を視聴するユーザは、サイマル放送モードを選択することでメニュー画面からそれぞれの放送に応じた設定等を行うことが可能となる。
【００６３】
また、移行期間が終了したときにはディジタル放送モードに自動的に切り替えることで、終了された放送に関するメニュー項目が放送終了後も表示されてしまうことを防止できる。
【図面の簡単な説明】
【００６４】
【図１】放送受信装置の機能ブロック図である。
【図２】リモートコントロール装置の外観を示す図である。
【図３】メニュー表示の設定動作を示すフローチャートである。
【図４】言語選択メニュー画面を示す図である。
【図５】国選択メニュー画面を示す図である。
【図６】放送形態情報を示す図である。
【図７】トップメニュー画面を示す図である。
【図８】セッティングメニュー画面を示す図である。
【図９】セッティングメニュー画面（セットアップモードが選択された場合）示す図である。
【図１０】メニュー表示の設定動作（サイマル放送モードを設けた場合）示すフローチャートである。
【図１１】トップメニュー画面（サイマル放送モードが選択された場合）を示す図である。
【図１２】セッティングメニュー画面（サイマル放送モードが選択された場合）を示す図である。
【符号の説明】
【００６５】
１０・・・放送受信装置、１１・・・アンテナ、１２・・・放送受信部、１３・・・セレクタ、１４・・・外部入力端子、１５・・・映像処理部、１６・・・表示部、２０・・・制御部、２１・・・ユーザインタフェース部、２２・・・記憶部、３０・・・リモートコントロール装置、４０・・・治具、１２１・・・チューナ、１２２・・・検波部、１２３・・・復調部、１２４・・・デコーダ、３１１・・・電源ボタン、３１２・・・数字ボタン群、３１３・・・入力切替ボタン、３１４・・・チャネルボタン、３１５・・・音量ボタン、３１６・・・ＭＥＮＵボタン、３１７・・・上下左右ボタン、３１８・・・ＯＫボタン
【図１】
0004487947.tif 000002
【図２】
0004487947.tif 000003
【図３】
0004487947.tif 000004
【図４】
0004487947.tif 000005
【図５】
0004487947.tif 000006
【図６】
0004487947.tif 000007
【図７】
0004487947.tif 000008
【図８】
0004487947.tif 000009
【図９】
0004487947.tif 000010
【図１０】
0004487947.tif 000011
【図１１】
0004487947.tif 000012
【図１２】
0004487947.tif 000013